(57)【要約】【課題】ポート部周辺の保守が容易で低価格の水リングポンプを提供する。【解決手段】水リングポンプ１は、制御板とサイドカバーとを一体構造としてその内部に吸気通路１４と排気通路１８の各仕切区画を有する制御カバー部５を形成するとともに、ポンプ室ケーシング部４に収容したインペラー３の両側面を制御カバー部に当接させてポンプ室ケーシング部の両端を閉鎖し、該制御カバー部で軸３ｂを回転可能に支持する。制御カバー部は、吸気と排気の各通路１４，１８をポンプ室ケーシング部またはその外部周辺に設けた吸気と排気の配管接続部１７ａ，２１ａへそれぞれ連通させ、ポンプ室のインペラーと封水部３ｅとが形成する吸引室１６と圧縮室２０に対面するそれぞれの部位の仕切板７には吸気と排気の各ポート１５，１９を備え、該各ポートに対面する部位の外側壁８には外部から前記各ポートに手先が挿入可能な点検窓２３，２４を設けて構成する。【選択図】        図１
2004308588.tif 000002
【特許請求の範囲】
【請求項１】
外側壁と該外側壁に対向する仕切板とを有し且つ該外側壁と仕切板との間に吸気通路および排気通路の各仕切区画が設けられた左右１対の制御カバー部と、中央部に左右端が開口する略円筒状のポンプ室を有し且つ前記左右端が前記制御カバー部それぞれの仕切板に密接するポンプ室ケーシング部と、前記ポンプ室に収容され且つ側面が前記仕切板に接した状態で両端の軸部を前記制御カバー部に設けた軸受部で回転可能に支持されたインペラーとを有してなり、前記制御カバー部は、前記吸気と排気の通路が前記ポンプ室ケーシング部またはその外部周辺に設けられた吸気と排気の配管接続部へそれぞれ連通するとともに、前記ポンプ室内のインペラーが形成する吸引室と圧縮室に対面するそれぞれの部位の仕切板には前記吸気と排気の各通路にそれぞれ連通する吸気と排気の各ポートを備え、且つ該各ポートにそれぞれ対面する部位の外側壁には外部から前記各ポートに手先が挿入可能な点検窓をそれぞれ設けた構成からなる水リングポンプ。
【請求項２】
制御カバー部外側壁に形成する点検窓は、軸受部との干渉を避けて内部のポート周辺の清掃およびポートに介在する部品の交換が可能なる様にインペラーの軸に対し斜め外方向に傾けて形成してなる、請求項１記載の水リングポンプ。
【請求項３】
左右制御カバー部の吸気通路または排気通路の少なくとも一方を、左右制御カバー部間に亘って連通する吸気連通路または排気連通路を有しない各々独立区画となすとともに、左右制御カバー部の吸気または排気通路の前記独立区画側の点検窓は、配管接続用短管を介しそれぞれ個別に吸気管または排気管と接続する一方、左右制御カバー部間に亘って連通する連通路を有する側の前記各点検窓は、脱着または回動開閉可能な蓋で密閉た構成からなる請求項１または２記載の水リングポンプ。
【発明の詳細な説明】
【０００１】
【発明の属する技術分野】
本発明は、水リングポンプ（通称水封式真空ポンプ）の構造に係わり、更に詳しくは、水リングポンプのポンプ室両側に取り付ける制御板をサイドカバーと一体構造の制御カバー部にするとともに、制御カバー部を取り付けた状態で内部のポート部周辺のメンテナンスを容易に行い得るようにした水リングポンプの構造に関するもので、異なる圧力の吸気または排気を１台の水リングポンプで排気する使用方法のポンプにも適用される。
【０００２】
【従来の技術】
水リングポンプには種々の形態があり、下記の構成もその一例である。即ち、水リングポンプは、駆動軸の中間に多数の羽根を放射状に植設または一体形成してなるインペラーと、該インペラーを収納するポンプ室ケーシング部と、該ポンプ室ケーシング部の両端に装着され且つそれぞれインペラー側面と接してポンプ室内の吸引室と圧縮排出室とにそれぞれ個別に連通するポートを有する制御板と、該制御板の外側に装着され且つ前記制御板のポートから吸気・排気の各配管接続部に個別に連通する吸気と排気の各通路区画およびインペラーの駆動軸を回転可能に支持する軸受などを備えたサイドカバーとにより構成される一方、サイドカバーにはポンプ室内壁に沿って環状の封水部を形成するための補給水注入口とその通路とを備えている（例えば、特許文献１参照。）。そして特殊な例としては、１台の水リングポンプを運転条件の異なる２台のポンプのように使うため、左右制御板の各吸入ポート部または各排気ポートをケーシング本体の吸気通路または排気通路内で連通させずに左右個別区画にしてそれぞれ個別の配管に接続するとともに、一方の制御板の吸気または排気のポートを部分的に遮断する手段を備えてなる水リングポンプがある（例えば、特許文献２参照。）。
【０００３】
【特許文献１】
特公平１−２８２３２公報（第１図、第２図）
【特許文献２】
特開２００１−３２９９８２公報（第１頁、図１）
【０００４】
ところで水リングポンプは、吸気に異物が混入したり補給水循環路の発錆や水垢により、吸気・排気ポート、内部通路、排気の逆流防止手段などに異物が付着し、定期的に開放点検し清掃や部品交換などの保守作業を行う必要がある。この開放点検と清掃や部品交換の際には、従来の水リングポンプの場合、まずサイドカバーの軸受部を分解した後にサイドカバーを取り外す必要があるが、サイドカバーを外すと制御板も支えが無くなって脱落する場合がある。従って、清掃後の組み立て作業は熟練経験者でないと狂いが生じ正しく復旧できないのみならず、部材同士の合わせ面や嵌合部のパッキン等のシール部材を損傷することもあり、多くの時間と保守費用を要している。また、従来の水リングポンプでは、サイドカバーと制御板が別部品からなり部品点数が多く且つこれら部材同士の接合面や嵌合部は高い加工精度が必要なため、製作には多くの工数と費用を要している。従来の水リングポンプがサイドカバーと制御板とを別部品にする理由としては、この両者を一体鋳造した場合鋳造後の内部空間の砂落としと砂の抜き取り作業が困難であるとの理由に基づく。
【０００５】
【発明が解決しようとする課題】
前述の状況に鑑み本発明が解決しようとするところは、吸気側ポート、および排気側ポートとそれらに連なる排気逆流防止手段、並びにそれらの周辺の内部通路等を、水リングポンプの軸受部やサイドカバーを分解して取り外すことなく、外部から短時間且つ容易に点検と清掃が行え、しかも低価格で製造できしかも鋳造時の内部空間部の砂落としが容易に行える構造の水リングポンプを提供する点にある。また、
【０００６】
【課題を解決するための手段】
前記課題の解決手段として、本発明の水リングポンプは、制御板（即ち仕切板）とサイドカバー（即ち外側壁）とを一体構造にしてその内部に吸気通路と排気通路の仕切区画を有する制御カバー部となし、ポンプ室ケーシング部に収容したインペラーの両側面を該制御カバー部に当接させてポンプ室ケーシング部の両端を閉鎖し、この制御カバー部でインペラーの軸を回転可能に支持する。そして、制御カバー部は、前記吸気と排気の各通路をポンプ室ケーシング部またはその外部周辺に設けた吸気と排気の配管接続部へそれぞれ連通させるとともに、前記ポンプ室内のインペラーと封水部とが形成する吸引室と圧縮室に対面するそれぞれの部位の仕切板には、前記吸気と排気の各通路にそれぞれ連通する吸気と排気の各ポートを備え、且つ該各ポートにそれぞれ対面する部位の外側壁には外部から前記各ポートに手先が挿入可能な点検窓をそれぞれ設けて構成する。これにより、水リングポンプの軸受部や制御カバー部を分解して取り外すことなく、点検窓から内部の吸気ポート周辺と排気ポート周辺の保守作業が容易に行えるようになり、且つ精密な機械加工部が少なく低価格で製造できるようになる。また鋳造時の内部空間の砂は、前記点検窓からサンドブラスト等による砂落としと砂の取り出しが容易に可能となる。
【０００７】
なお、制御カバー部外側壁に設ける点検窓は、軸受部との干渉を避けて内部のポート周辺の清掃およびポートに介在する部品の交換が可能なる様にインペラーの軸に対し斜め外方向に傾けて形成する。この構成により、水リングポンプ内部の吸気ポート周辺と排気ポート周辺の保守作業時に軸受との干渉を避けることができ能率的に作業が行なえる。
【０００８】
また、制御カバー部外側壁に設ける点検窓は蓋で密閉する。この構成により、蓋を取り外すか開くだけで水リングポンプ内部の吸気ポート周辺と排気ポート周辺の保守作業が行なえる。
【０００９】
或いは、左右制御カバー部の吸気通路または排気通路の少なくとも一方を、左右制御カバー部間に亘って連通する吸気連通路または排気連通路を有しない各々独立区画となすとともに、左右制御カバー部の吸気または排気通路の前記独立区画側の点検窓は、配管接続用短管を介しそれぞれ個別に吸気管または排気管と接続する一方、左右制御カバー部間に亘って連通する連通路を有する側の前記各点検窓は蓋で密閉する。この構成により、インペラー両端の左右制御カバー部内部の各吸気ポート或いは各排気ポートに対しそれぞれ異なる圧力の流体を吸入し或いは異なる圧力で排気すること、つまり、左右制御カバー部のそれぞれの吸気または排気ポートの少なくとも一方を左右それぞれ異なる圧力の吸気または排気の配管系統に接続し、１台の水リングポンプを２台の水リングポンプのように運転使用することを可能にするとともに、各ポート周辺の保守作業が容易に行える。
【００１０】
【発明の実施の形態】
つぎに本発明の実施の形態を添付図面に基づき詳細に説明するが、本発明は、添付図面に限定されず特許請求の範囲に記載の要件を満たす実施形態の全てを含むものである。添付図面において、図１は本発明に係る水リングポンプの全体を左右異なる断面で示し、図２は図１の水リングポンプの右側面を示し、図３はポンプ室内部においてインペラーと封水部つまりポンプ室ケーシング部の内筒部内壁に沿う環状水リングとが形成する吸引室と圧縮室および吸入と排気の各ポートとの関係を模式的に示している。また、図４には図１の水リングポンプの右側制御カバー部の外側壁を切り開いて仕切板を外方から見た状態、図５には図１の水リングポンプの右側制御カバー部の外側面をそれぞれ示し、図６には排気ポートのポート板の取付状態を拡大して示す。
【００１１】
本発明の実施形態の具体的説明に先立ち水リングポンプの基本構造について図に基づき説明する。水リングポンプ１は、ケーシング本体２とケーシング本体２の内部に収納されたインペラー３とで主要部が構成される。ケーシング本体２は、中央内部に中空の内筒部（ポンプ室）６が形成されたポンプ室ケーシング部４と、内側には中央にインペラー３の軸３ｂを挿通する軸穴を有し且つポンプ室ケーシング部４の左右側面に接する仕切板７と外側には中央にインペラー３の軸３ｂを支持する軸受部９を備えた外側壁８とを有する一体構造の左右１対の制御カバー部５，５の合計３個の部分から構成される。インペラー３は、筒体３ｄの周囲に半径方向に湾曲突設する多数の羽根３ｃを湾曲内面が回転方向に向く前傾姿勢で等間隔に植設形成または一体形成したインペラー部３ａと、筒体３ｄ中心を貫通支持して両側端から突出する軸３ｂとで構成される。インペラー部３ａはポンプ室ケーシング部４の内筒部６に収納され且つその両側面が制御カバー部５，５の仕切板７，７と接するとともに、軸３ｂは仕切板７，７の前記軸穴に挿通して制御カバー部外側壁８，８の軸受部９，９に回転可能に支持されている。なお、制御カバー部５の外側壁８と仕切板７との間には、図４に示す様に側面から見て左右と中央の３区画に仕切られた内部空間が形成され、それぞれ、中央の内部空間は封水通路１０、左右の内部空間は吸気通路１４と排気通路１８となっている。
【００１２】
更に詳しく説明すると、吸気通路１４と排気通路１８には、仕切板７のやや中心寄りに吸気ポート１５（吸気通路側）と排気ポート１９（排気通路側）がそれぞれ貫通形成され、吸気通路がポンプ室ケーシング部４の内筒部６周辺に沿う封水部とインペラー部３ａとが形成する吸引室１６に、排気通路が同じく圧縮室２０にそれぞれ連通している。そして左右の制御カバー部５，５の吸気通路１４および排気通路１８のそれぞれの上方外周寄りには仕切板７を貫通して形成された通路１４ａ，１８ａを有し、該各通路がポンプ室ケーシング部４内の内筒部６外側に左右両端に亘って貫通形成された吸気連通路１７および排気連通路２１に互いに連通している。そして、吸気連通路１７は吸気管接続部１７ａを介し、排気連通路２１は排気管接続部２１ａを介し、それぞれ外部の吸気管３１と排気管３２に接続している。
【００１３】
なお吸気管接続部１７ａと排気管接続部２１ａは、図示の例のように、ポンプ室ケーシング部４内に設けた連通路１７，２１に設けるか、または図示は省略するが制御カバー部５から一旦外部に導いて左右制御カバー部の吸気通路同士または排気通路同士を連通接続する連通路に設けるなどいずれか適宜の場所に形成すればよい。
【００１４】
一方、封水通路１０には、仕切板７を貫通してポンプ室ケーシング部４の内筒部周壁外側の通路１０ａに連通する補給水通路口１１が貫通形成され且つ前記通路１０ａには内筒部６内部に連通する貫通孔（図示しない）を有するとともに、封水通路１０は制御カバー部５に形成された補給水注入口１２から外部に連通している。補給水注入口１２は、図示しない補給水ポンプの吐出ポートに配管接続され、冷却された補給水が補給水注入口１２，封水通路１０，補給水通路口１１を順次通過して内筒部６にインペラー３の封水として補給され、この封水は水リングポンプの排気とともに排出された後、図示しないセパレーター，冷却器，補給水ポンプを通過して再び補給水注入口に戻って循環するように構成されている。なお、封水通路１０、補給水注入口１２補給水通路口１１については、図示のように制御カバー部５に設けるほか、ポンプ室ケーシング部４に設けてもよい。
【００１５】
以上の構成により、水リングポンプ１は以下に記載のように作用する。即ち、吸気管接続部１７ａから吸入した空気を、吸気連通路１７と吸気通路１４，１４を経由して両仕切板７，７の吸気ポート１５，１５から内筒部６内の吸引室１６に吸引され、インペラー３の回転作用で圧縮室２０に移動してそこで圧縮され、両仕切板７，７の排気ポート１９，１９から排気通路１８，１８に排出された後、排気連通路２１を経て排気管接続部２１ａから前述の図示しないセパレーターに送られ、このセパレーターで排気中の水分（封水）を分離して最終的に大気放出される。またセパレーターで分離された水分（封水）は前述のように図示しない補給水ポンプにより再び補給水注入口１２から封水通路１０内を経て内筒部６内部に循環する。
【００１６】
水リングポンプ１は、図３に示すように、ポンプ室ケーシング部４の内筒部６内部でインペラー３が回転すると、封水が回転に伴う遠心力で内筒部の周壁に環状に追いやられ、インペラー３の円筒部材３ｄと環状になった封水の封水部３ｅの内周との隙間が上方が狭く下方が広い偏心関係となり、インペラーの右方向（矢印方向）への回転に伴い、インペラーの筒体３ｄと羽根３ｃと封水部３ｅの内周との間に吸引室１６と圧縮室２０が形成される。そして右半分の吸引室１６側ではインペラーの回転位相が進むにつれ体積が次第に大きくなって内部圧力が降下し、その結果、側面から見て略半月状に開口する吸気ポート１５から吸気を吸引する。一方、左半分の圧縮室２０側ではインペラーの回転位相が進むにつれ体積が次第に小さくなって内部の気体が圧縮され、排気通路２１よりも高圧になると、側面から見て略半月状に開口する排気ポート１９から排出される。
【００１７】
従って、排気ポート１９については、運転開始直後は圧縮室２０内の流体を排気通路２１側に自由に排出する必要があるが、通常運転時においては、吸引行程から圧縮行程への移行直後の下方の圧縮室２０では十分に昇圧していないため、排気通路２１からの流体の逆流を阻止する必要がある。この両方の作用を満たすため、仕切板７の排気ポート１９のうち圧縮室２０の圧縮行程開始点からその中間までの排気ポート（図の多数の円形孔からなる部分の低圧側寄りの部分）の外側にはその部分を開閉可能に覆うポート板１９ａ（図４および図６参照）を取り付ける。ポート板１９ａは、柔軟性に富んだゴムなどの材質のシート状部材からなり、若干隙間を隔てた外側にはポート板１９ａの開動作を規制する押さえ板１９ｂを備えるとともに、一端を取付ボルト１９ｃで仕切板７に取り付けている。これにより、圧縮室２０の圧力が排気通路１８の圧力よりも高圧となっている位相部分についてのみ、ポート板１９ａが押さえ板１９ｂとの隙間の範囲内で外側に向け自由に開き、排気ポート１９の下側（低圧側寄り）の一部または全部を開放することができるようになっている。なお、排気ポート１９は、低圧側寄りを図示の如く多数の小径円形孔を半月状に配置形成し、該円形孔をポート板１９ａで閉鎖する構造にすることで、吸引室１６が負圧の際にポート板が無理な変形を受けることなく円滑かつ確実に閉鎖して流体の逆流を規制できて好都合である。
【００１８】
つぎに、水リングポンプ１の左右制御カバー部５，５は、内部の仕切板７の吸気ポート１５と排気ポート１９に対面する外側壁８のそれぞれの部位に、開閉可能な１対の点検窓２３，２４を有する。この点検窓２３，２４は、軸受部９を避けてインペラー３の軸３ｂの左右に各１個設け、吸気通路側点検窓２３は吸気ポート１５に面し、且つ排気通路側点検窓２４は排気ポート１９に面している。
【００１９】
この点検窓２３，２４は、それぞれが外部から吸気ポート１５または排気ポート１９の部分に手先を挿入して点検・清掃・周辺部品の交換などが可能な大きさに形成され、周囲には端面が平坦な鍔状部を有する開口２３ａ，２４ａと、前記鍔状部の端部に重なり合う脱着開閉可能な蓋２５，２６とからなる。蓋２５，２６はシール部材としてシートパッキンを介在させボルト２７，２８で開口２３ａ，２４ａの端部に締め付けて取り付ける。
【００２０】
従って水リングポンプ１は、制御カバー５の点検窓２３，２４のボルト２７，２８を緩めて蓋２５，２６を取り外すだけで、開口２３ａ，２４ａから手先を挿入して吸気通路１４、吸気ポート１５、排気通路１８、排気ポート１９、ポート板２９の点検と清掃または部品交換などの作業を容易に行うことが可能である。
【００２１】
従来の水リングポンプにおいては、内部の吸排気通路やポート部の点検清掃時には、まずサイドカバーの軸受部を分解した後にサイドカバーを取り外す必要があり、サイドカバーを外すと制御板も支えが無くなって脱落するので、結局は全体を分解することになり、後の組み立て作業は熟練経験者でないと狂いが生じて正常に復旧できない。しかし、上記水リングポンプ１においては、点検窓を取り外すだけで簡単に行え、熟練経験者でなくても簡単に点検と保守作業ができる。
【００２２】
なお、点検窓２３，２４については、図示の如く、インペラー３の軸３ｂに対し斜め外方向に傾けて形成すると、上記の作業時に軸受け部や駆動用モーターとの干渉が避けられ作業性がより一層良好となる。
【００２３】
また、点検窓２３，２４に取り付ける蓋２５，２６は、開口部の端部平坦面と重なり合う回動開閉可能な蓋とすると更に一層便利である。この回動開閉可能な蓋は、詳細構造の図示は省略するが、たとえば前記開口部端部の鍔状部または開口部の周壁など適宜の周辺部材に対し蝶番または回動開閉可能に蓋を連結するピンなどを取り付け、これを支点に回動可能に蓋の一端を取付るとともに、蓋の他端は開口部周辺部材にクランプ機構やラッチ機構など適宜の係止機構を設けて構成する。この場合も、蓋と開口端部との間にはその形状に合わせ、シートパッキンなど適宜のシール部材を介在させる。
【００２４】
一方、前述の水リングポンプ１とは内部構造が若干異なり、左右の制御カバー部５、５それぞれの吸気通路１４を、左右制御カバー部５，５間に亘る吸気連通路１７を形成せず、吸気通路を左右非連通の独立の区画としてなる水リングポンプの制御カバー部５ａを図７に例示する。制御カバー部５ａは、左右独立区画となした吸気通路１４の部位の外側壁８に設ける前記各点検窓２３には、前述の実施例における蓋２５に代えて配管接続用短管３０を取り付け、この配管接続用短管３０を介し左右個別にそれぞれ吸気管（図示しない）を接続する。左右が連通する排気通路側は、前述の実施例と同様、各点検窓には、脱着または回動開閉可能な蓋を取り付け、各点検窓の端部と蓋および前記配管接続用短管３０との間にはそれぞれ点検窓全周に亘るシール部材を介在させて締め付ける。
【００２５】
また、上記制御カバー５ａを用いる場合、左右非連通の各吸気ポート１５，１５のいずれか一方の吸い込み開始側寄りの一部を部分的に閉鎖する手段（図示しない）を設ける。この閉鎖により、インペラー左右それぞれのポートからの吸入開始点の位相がずれる結果、左右ポートで吸引圧力が異なり、制御カバー部の点検窓２４，２４に個別に接続される左右の吸気配管（図示しない）はそれぞれ異なる圧力で吸気を吸引する。
【００２６】
左右の制御カバー部５ａ，５ａの吸気通路側点検窓２３，２３に取り付ける配管接続用短管３０は、長さを例えば３０ｃｍ程度にしておく。これにより吸気通路側配管接続用短管３０をおよび排気通路側点検窓の蓋２６を取り外すことで点検窓２３，２４がすべて開放され、前述と同様に内部の点検・清掃・部品交換が容易に行える。
【００２７】
前記は、吸気通路１４，１４側を左右非連通とした場合について例示したが、これに代えて排気通路側１８，１８を左右非連通としてもよい。その場合は、排気ポート１９，１９の左右いずれか一方の排出終了側寄りの一部を部分的に閉鎖する手段（図示しない）を設ける。この閉鎖により、インペラー左右それぞれのポートからの排気行程終了点の位相がずれる結果、左右ポートで排気圧力が異なり、左右の排気管（図示しない）にはそれぞれ異なる圧力の排気が排出される。
【００２８】
この場合も前記と同様に、左右の制御カバー部の排気通路１８側の点検窓２４には、個別に約３０ｃｍ程度の長さの配管接続用短管（符号３０と同様の短管）を介して排気管（図示しない）を接続する。それにより、図示しない排気通路側配管接続用短管および吸気通路側点検窓の蓋を取り外すことで点検窓２４が開放され、前述と同様に内部の点検・清掃・部品交換が容易に行える。
【００２９】
大容量の水リングポンプにおいては、前述の制御カバー部５ａを用いると都合がよい。即ち大容量の場合は左右の吸気と排気の各ポートを連通させる連通路をポンプ室ケーシング内に一体的に形成すると胴部が大きくなって重量が増大する。従って輸送や設置の作業を軽減するためポンプ室ケーシングに連通路を設けずに左右各カバーの吸気または排気のポート部の部屋から外部配管に直接接続するとよい。そして、吸気通路側のみに限らず吸気通路側と排気通路側の両方の点検窓に上記と同様に配管接続用短管を取り付け、ポンプ室ケーシングには連通路を一切設けない形態にしてもよい。
【００３０】
【発明の効果】
以上にしてなる本発明の請求項１に係る水リングポンプは、前記従来の水リングポンプのように軸受部やサイドカバーの分解や取り外しをすることなく、制御カバー部の点検窓から吸気側ポートおよび排気側ポートとそれに連なるポート板並びにそれらの周辺の内部通路の点検と清掃を短時間且つ容易に行える。また、ケーシング部と制御カバー部の部品点数が少なくなるとともに精密加工の必要な箇所や面積が少なくなり、低価格で製造できるといった効果がある。また、点検窓を密閉する蓋を回動開閉可能な構造にすることも可能であり、その場合は、蓋をつけたまま単に開閉するだけで、水リングポンプ内部の吸気ポート周辺と排気ポート周辺の保守作業が容易に行えるといった効果がある。更に、鋳造時には、制御板内の空間部の鋳造用の砂は、上記の点検窓からサンドブラスト等を行うことで砂落としと砂の取り出しが容易に可能となるといった作用効果があり、この点検窓を設けることで、困難とされていた制御板とサイドカバーとの一体鋳造が可能になった。
【００３１】
また、本発明の請求項２に係る発明の水リングポンプは、点検窓をインペラーの軸方向に対し外方に向く姿勢に形成したので、水リングポンプ内部の吸気ポート周辺と排気ポート周辺の保守作業時に、軸受と作業工具などとの干渉を避けて容易に作業えるため、一層能率よく作業を行うことができるようになるといった効果がある。
【００３２】
また、本発明の請求項３に係る発明の水リングポンプは、インペラー両端の左右制御カバーの各吸気ポート或いは各排気ポートをそれぞれ左右独立区画として、左右の制御カバー部の吸気通路または排気通路を異なる圧力で２台の水リングポンプのように運転使用可能な構造の水リングポンプであるが、独立区画とした側の吸気または排気通路側の点検窓に配管接続用短管を介在させて吸気管または排気管と接続したことにより、左右ポート部の保守作業については、左右制御カバーの吸気通路または排気通路が互いに連通する側については前述と同様の作用効果があり、吸気通路または排気通路がそれぞれ左右独立となった側は配管接続用短管を取り外すだけで点検窓部が露出し、同様にケーシング本体を分解することなく保守作業を容易に行うことができるといった効果がある。
【図面の簡単な説明】
【図１】本発明に係る水リングポンプの実施例の全体を示す断面図で、右半分は図２のＡ−Ｏ−Ａ矢線、左半分は図２のＢ−Ｏ−Ｂ矢線から見た断面をそれぞれで示している。
【図２】図１の水リングポンプの右側面を示す図である。
【図３】図１の水リングポンプの運転時におけるＹ−Ｙ矢線から見た図で、インペラーと封水とが形成する吸引室と圧縮室および吸入と排気の各ポートとの関係を示している。
【図４】図１の水リングポンプの制御カバー部のＸ−Ｘ矢線の断面図である。
【図５】図１の水リングポンプの右側制御カバー部の外側面を示す図である。
【図６】図１の水リングポンプにおける排気ポートのポート板の取付状態を拡大して示す図である。
【図７】本発明に係る水リングポンプの別の実施例を示し、制御カバー部の吸気通路を左右非連通の独立区画となす水リングポンプの制御カバー部を断面にして示す図である。
【符号の説明】
１  水リングポンプ
２  ケーシング本体
３  インペラー
３ａ    インペラー部
３ｂ  軸
３ｃ  羽根
３ｄ  筒体
３ｅ  封水部
４  ポンプ室ケーシング部
５，５ａ  制御カバー部
６  内筒部
７  仕切板
８  外側壁
９  軸受部
１０  封水通路
１０ａ  通路
１１  補給水通路口
１２  補給水注入口
１４  吸気通路
１５    吸気ポート
１６    吸引室
１７  吸気連通路
１７ａ  吸気管接続部
１８  排気通路
１９  排気ポート
１９ａ  ポート板
１９ｂ  押さえ板
１９ｃ  取付ボルト
２０  圧縮室
２１  排気連通路
２１ａ  排気管接続部
２３，２４  点検窓
２３ａ，２４ａ  開口
２５，２６  蓋
３０  配管接続用短管
３１  吸気管
３２  排気管
【図１】
2004308588.tif 000003
【図２】
2004308588.tif 000004
【図３】
2004308588.tif 000005
【図４】
2004308588.tif 000006
【図５】
2004308588.tif 000007
【図６】
2004308588.tif 000008
【図７】
2004308588.tif 000009